(57)【要約】【課題】和装用の草履を履いたときの雨避けを簡単かつ確実に行うことができ、また歩き易く、雨が降りそうな天気の外出時にも容易に携行できるつま先カバーを得る。【解決手段】和装用の草履の爪先部から前部を覆う上面部１と、この上面部１と一体的に形成されている草履１６の表面に載る底面部２を有しており、上記底面部２の前部の中央部には前緒１７を通すための孔４を設けている。この孔４には孔の下部の側縁部より底面部の後方向に向かって側方への屈曲部７を介して後端部８に延びる切線９を形成している。上記底面部の後端部側には、上記切線を挟んだ一方側から他方側に延びる延出片１３を設けて、他方側の底面部１４と重なり合うようにして、和装用草履のつま先カバーとしている。【選択図】図５
0003220329.tif 000002
【実用新案登録請求の範囲】
【請求項１】
和装用の草履の爪先部から前部を覆う上面部と、この上面部と一体的に形成されている草履の表面に載る底面部を有し、この底面部の前部の中央部に前緒を通す孔を設け、該孔の下部の側縁部より後方向への屈曲部を介して底面部の後端部に延びる切線を形成し、底面部の後端部側には上記切線の一方側から他方側に延びて他方側の底面部と重なり合う延出片を設けた和装用草履のつま先カバー。
【請求項２】
上記つま先カバーは、その形成材料同士が微弱な粘着性を有する軟質塩化ビニル樹脂で形成されている請求項１に記載の和装用草履のつま先カバー。
【請求項３】
上記つま先カバーが透明性の材料で形成されている請求項１または２に記載の和装用草履のつま先カバー。
【考案の詳細な説明】
【技術分野】
【０００１】
本考案は、和装用の草履を履いたときに雨避けに使用することができるつま先カバーに関するものである。
【背景技術】
【０００２】
和装をして下駄を履いているときに雨避けをする場合には、下駄の台のつま先部分にかまぼこ形の爪掛けを被せ、爪掛けのひもを下駄の後歯に引掛けることにより固定することができるので、容易に雨避けを行うことができる。
しかしながら、草履には歯がないので上記した下駄のように爪掛けを取付けることができない。
【０００３】
そこで、草履の先端に被せる爪掛の底板に後端から前方の穴に延びる重ね合せ部があり、この重ね合せ部を開くようにして前緒を前方の穴に通し、上記重ね合せ部の全体を面ファスナーにより閉じるようにして草履に取付け、爪掛の底板表に設けたゴムテープを後緒に通して底板裏に設けたボタンに掛けて固定するようなものが知られている。（特許文献１）
【０００４】
しかし上記のものは、底板の重ね合せ部の全長に渡って面ファスナーが設けられているので、このファスナーが歩くときに力が入る足指の付根と土踏まずの間の踏み付け部に当り、歩きにくいし、製造も面倒である。
【先行技術文献】
【特許文献】
【０００５】
【特許文献１】実用新案登録第３１３４９２０号
【考案の概要】
【考案が解決しようとする課題】
【０００６】
本考案は、和装用の草履を履いたときの雨避けを簡単かつ確実に行うことができ、また歩き易く、雨が降りそうな天気の外出時にも容易に携行することができるようにしようとするものである。
【課題を解決するための手段】
【０００７】
本考案においては、和装用の草履の爪先部から前部を覆う上面部と、この上面部と一体的に形成されている草履の表面に載る底面部を有しており、上記底面部の前部の中央部には前緒を通すための孔を設けている。この孔には孔の下部の側縁部より底面部の後方向に向かって側方への屈曲部を介して後端部に延びる切線を形成している。上記底面部の後端部側には、上記切線を挟んだ一方側から他方側に延びる延出片を設けて、他方側の底面部と重なり合うようにして、和装用草履のつま先カバーとしている。
また、上記つま先カバーは、その形成材料同士が微弱な粘着性を有する軟質塩化ビニル樹脂で形成したり、透明性の材料で形成したりすることができる。
【考案の効果】
【０００８】
本考案によれば、つま先カバーの底面部の後端部の切線部分に和装用草履の前緒に当てて、切線に沿ってつま先カバーを移動させて行くと、切線の屈曲部を通過して底面部の前部に位置する孔に前緒が嵌り合うようになり、つま先カバーは和装用草履に装着される。
上記切線は、孔の下部の側縁部から側方に曲がる屈曲部を経て底面部の後端部に延びているので、上記孔に嵌り合った前緒は孔の下部縁によって切線方向に移動することが妨げられ、つま先カバーが移動したり、外れたりすることがなく、装着状態を保つことができる。
【０００９】
上記草履に装着したつま先カバーは、歩くときに力が入る足指の付根と土踏まずの間の踏み付け部において、草履の表面に載っている底面部には切線があるだけで凹凸がないので、足裏に違和感がないし、上記切線の一側方から他側方に向けて設けた延出片は足の踏み付け部以外の部分で重なり合うようになるので、心地よく履いて歩くことができる。
【図面の簡単な説明】
【００１０】
【図１】本考案の実施例を示す和装用草履のつま先カバーの斜視図である。
【図２】図１に示すものの後端部から切線に沿って他側部を開いた状態の斜視図である。
【図３】図１に示すものの底背面図である。
【図４】図３のIV−IV線端面図である。
【図５】図１に示すものを和装用草履に装着した状態を示す説明図である。
【考案を実施するための形態】
【００１１】
和装用の草履の爪先部から前部を覆うドーム状の上面部（１）と、草履の表面に載る底面部（２）があり、両者は一体的に形成されている。
この両者は合成樹脂その他の水を通さないようなシート材料で形成されており、図示するものは軟質塩化ビニル樹脂で形成されていて、側縁がシール（３）によって一体化されている。
【００１２】
上記底面部（２）において上面部（１）で覆われている前部の中央部には、前緒を通すことができる孔（４）を設けている。この孔（４）の下部（５）の側縁部（６）から、側方に延びる屈曲部（７）を介して、後端部（８）へと延びている切線（９）を設けていて、上記孔（４）が外方へと繋がっている。
【００１３】
上記底面部（２）の後端部（８）側には、上記切線（９）の一方側（１１）から他方側（１２）に向かって延びる延出片（１３）を設けており、他方側の底面部（１４）と重なり合うようになっている。
【００１４】
これを使用する場合、つま先カバー（１５）の底面部（２）の後端側の他方側の底面部（１４）を持ち上げるようにしてから、和装用草履（１６）の前緒（１７）を切線（９）に沿ってつま先カバー（１５）を移動させて行くと、屈曲部（７）を通過して底面部の前部に位置する孔（４）に前緒（１７）が嵌り合うようになり、つま先カバー（１５）は和装用草履（１６）に装着される。
【００１５】
上記切線（９）は、孔（４）の下部の側縁部（６）より側方に張出すように曲がる屈曲部（７）を経て底面部の後端部（８）に向かって延びているので、上記孔（４）に嵌り合った前緒（１７）は孔の下部縁（１８）によって切線（９）方向に移動することが妨げられるようになるから、つま先カバーがずれたり、移動したり、外れたりするようなことが無く、装着状態を安定に保つことができるようになる。
【００１６】
そして、上記草履に装着されたつま先カバー（１５）は、草履を履いて歩くときに力が入る足指の付根と土踏まずの間の踏み付け部において、草履の表面に載っている底面部（２）には切線（９）があるだけで、重なり合い部分や凹凸がないので、足裏に違和感を感じることなく、履くことができる。
【００１７】
また、上記切線の一方側（１１）から他方側（１２）に向けて設けた延出片（１３）は上記足の踏み付け部以外の部分で他方側の底面部（１４）と重なり合うようになり、その状態で足からの重みも違和感なく掛かるようになるので、後端部（８）側において切線（９）が閉じられたような状態になり、つま先カバー（１５）の装着状態を一層確実に保持することができる。
【００１８】
このつま先カバー（１５）を上記したように軟質塩化ビニル樹脂のシートで製造したときには、樹脂シート間において微弱な粘着性が見られるので、上記底面部（２）の後側において延出片（１３）と他方側の底面部（１４）の重なり状態を維持し易く、つま先カバー（１５）の装着状態を更に維持し易くなる。
【００１９】
このつま先カバー（１５）を草履（１６）から取外すときには、底面部（２）の後端部（８）側の延出片（１３）との重なり状態を引き剥がすようにすれば、底面部（２）に設けた切線（９）が開放状態になるので、前緒（１７）を孔（４）から外し切線（９）に従って移動させれば、スムーズにとり外すことができる。
【００２０】
このつま先カバー（１５）は、上記の如く装着、取外しが容易であるので、草履に最初から取付けて使用するだけでなく、コンパクトに収納することができるのでバックなどに入れて持ち歩き、外出先で雨や雪になったような場合にも、出先で簡単に草履に取付けることができて便利に使用することができる。
【００２１】
このつま先カバー（１５）は、無色透明または適当な色を使用した有色透明などの透明性の材料で作ると足に履いた足袋などを透視することができるようになるので、一層自然な感じで使用することができる。
また、着色された不透明性のものにすると足元のアクセントになることもあり、場合に応じて適宜に使い分けるようにすることができる。
【符号の説明】
【００２２】
１    上面部
２    底面部
４    孔
５    孔の下部
６    孔の側縁部
７    屈曲部
８    底面部の後端部
９    切線
１３  延出片
１４  他方側の底面部
１５  つま先カバー
１６  草履
１７  前緒
１８  孔の下部縁
【図１】
0003220329.tif 000003
【図２】
0003220329.tif 000004
【図３】
0003220329.tif 000005
【図４】
0003220329.tif 000006
【図５】
0003220329.tif 000007